(57)【要約】【課題】釣り糸同士を結線する際の糸結びを補助して、強固な結線を簡単におこなうことができるようにする。【解決手段】互いに巻き付けられた２本の釣り糸の該巻き付け部位に隣接してハーフヒッチを施すにあたり、一方の釣り糸を係止する第一糸係合部１１と、他方の釣り糸を係止するメインライン糸係止部１６とを備え、該第一糸係合部とメインライン糸係止部とで係止される釣り糸は、第一糸係合部とメインライン糸係止部とのあいだに緊張状態で保持されるよう構成した。【選択図】図２
0003149858.tif 000002
【実用新案登録請求の範囲】
【請求項１】
互いに巻き付けられた２本の釣り糸の該巻き付け部位に隣接してハーフヒッチを施すにあたり、一方の釣り糸の何れかの部分を係止する第一糸係止部と、他方の釣り糸の何れかの部分を係止する第二糸係止部とを備え、該第一糸係止部と第二糸係止部とで係止される釣り糸は、第一糸係止部と第二糸係止部とのあいだに緊張状態で保持されることを特徴とする釣り糸用糸結び器。
【請求項２】
第一糸係止部および第二糸係止部は、外周面に弾性部材による溝部が形成され、該溝部に釣り糸を挟み込むことで糸を係止するよう構成されていることを特徴とする請求項１記載の釣り糸用糸結び器。
【請求項３】
第一糸係止部は、ボディの一方の先端部に設けられるとともに、第二糸係止部は、該ボディの他方の先端部に設けられることを特徴とする請求項１または２記載の釣り糸用糸結び器。
【考案の詳細な説明】
【技術分野】
【０００１】
本考案は、例えばルアーフィッシング等の釣りにおいて、メインライン（道糸）とリーダー（先糸）とを結線するにあたり、結線の後半に施すハーフヒッチ編み付けの補助をする、釣り糸（ライン）用糸結び器の技術に関する。
【背景技術】
【０００２】
例えば、ルアーフィッシングの釣りにおいては、リールのスプールに巻き付けられた道糸（メインライン）を、釣り竿（ロッド）に設けられた糸ガイド等を介して竿先から繰出して釣りをすることになるが、該繰出されたメインラインの先端部には先糸（リーダー）を結線し、該リーダーの先端部に擬餌（ルアー）を取付けることになる。
【０００３】
メインラインの先端部にリーダーを結線する目的は以下の通りである。ルアーに近い部分の釣り糸は、投げ込みや釣り上げの際に魚、ルアー、岩礁等の種々の物体に摺接することが多い。仮にメインラインの先端部に直接ルアーを取付けて釣りをおこなった場合、ルアー近傍のメインラインは上記のような物体と接することになる。しかしながら、メインラインとして釣り愛好者に好んで使用されるポリエチレン糸は、このような障害物との接触によって強度が非常に弱められるという性質を有しており、そこで、ルアー近傍では、摩耗に対する耐久性に優れたフロロカーボン等の糸をメインラインと擬餌のあいだに介在させて、つまりリーダーとして使用することが通常におこなわれている。
【０００４】
このような理由から、ルアーフィッシングにおいてはメインラインとリーダーとを結線することが通常におこなわれているが、こういった異なる性質を有する糸同士を結線しようとするとどうしても糸抜けしやすくなってしまうため、糸抜けの発生しない特殊な方法で結線する必要がある。このような特殊な結線方法としては、ミッドノット、ノーネームノット、ＰＲノット等が糸抜けのない優れた方法として広くルアー釣り愛好者に知られている。
【０００５】
前述の結線方法（ノット）は、手順等が細部においては少しずつ異なる結線方法ではあるが、まずメインラインをリーダーに対して緊密に巻き付けて結線部の強度を高め、しかる後リーダーに巻き付けられたメインラインの糸端部をハーフヒッチと呼ばれる結線方法によって結線して糸抜けを防止している、という点では全て共通している。
【０００６】
一例として、前述のミッドノットという結線方法を以下に紹介する。
まず、メインラインＭとリーダーＳを端部同士が対向する向きになるようにして平行に重ね合わせる（図１（Ａ）参照）。次にメインラインＭの端部をリーダーＳの端部近傍よりリーダーＳの端部から遠ざかる方向に向かって所定の長さまでリーダーＳに巻き付けていく（図１（Ｂ）参照）。所定の長さまで巻き付けた後は、巻きつけ始めの方向に戻るように、つまりリーダー端部に向けて、（Ｂ）で巻きつけたメインラインＭの上にメインラインＭを巻き付けていく（図１（Ｃ）参照）。メインラインＭの巻き付けを（Ｂ）の巻き付け始めの位置まで施したら、この巻き付けられた糸が解けないように巻き付け糸にぴったりと隣接させてハーフヒッチを数回施す（図１（Ｄ）、（Ｅ）参照）。最後にメインラインＭとリーダーＳを同時に強く引いて締める（図１（Ｆ）参照）。
【０００７】
以上の（Ｂ）、（Ｃ）における、メインラインをリーダーに対して巻き付けていく作業、および巻き付けた後にハーフヒッチを施す作業においては、糸が解けないようにするために一定の締め付け力でもって均等に巻き付けていく必要がある。しかも最適な締め付け力は、メインラインおよびリーダーの強度や太さによって異なるため、完成度の高い巻き付けおよびハーフヒッチを施すことができるようになるには相当な熟練を要する。
【０００８】
そこで、このような巻き付けを補助するための補助具が種々研究されており、一般に広く知られたものも多数ある。
例えば、リーダーを第一および第二の糸保持回転体で保持するとともに、メインラインを第一の糸保持回転体に保持して、メインラインの一端を手で持ちながら糸保持回転体を電動回転させることによってリーダーにメインラインを巻き付けていき、このような補助具を使用することによって従来からある結線方法における巻き付け作業の部分を効率よく簡単におこなえるようにしたものが知られている（特許文献１）。
【０００９】
また、メインラインの一端部を回転体であるボビンに巻き付けておいて、該ボビンをリーダーに対してリーダーの周回り方向に回動させることによってボビンに巻かれたメインラインを少しずつリーダーに巻き付けていく所謂ボビンノットと呼ばれる方法が知られている。この方法によれば、メインラインのリーダーに対する巻き付けを、ボビンの遠心力を利用しておこなうことで均等かつ一定の緊締力を持っておこなうことができる。
そして、このボビンノットにおいて使用するボビン部分に、ボビンの回動に伴うボビンからの糸繰出し速度を調整する機能を付与して、メインラインおよびリーダーの強度や太さに応じた糸の繰出しができるようにしたものが知られている（特許文献２）。
【００１０】
さらに、ＦＧノットにおいて、メインラインをリーダーに巻き付けるという手作業を、巻き付け装置の左右両端にそれぞれ延びた２本のアームにメインラインが緊張状態となるよう係止するとともに装置中央にはリーダーを着脱自在に係止するリーダー係止部を設けて、リーダーをリーダー係止部から着脱しながら前記２本のアームに係止されたメインラインにリーダーを巻き付けていくよう構成したものが知られている（特許文献３）。
【先行技術文献】
【特許文献】
【００１１】
【特許文献１】特開２００５−１６０４４４号
【特許文献２】特開２００６−２３８７３９号
【特許文献３】特開２００７−２４４２３９号
【考案の概要】
【考案が解決しようとする課題】
【００１２】
しかしながら、これらの従来のものは、ミッドノット等の各種結線方法における、メインラインのリーダーへの巻き付け作業を簡単確実におこなうための補助具の開示であって、巻き付け作業の後に施されるハーフヒッチ作業を補助することは一切考慮されていない。
【００１３】
ハーフヒッチは、前述したように、メインラインとリーダーとの結線においてメインラインのリーダーに対する巻き付け作業がおこなわれた後に施されるものであるが、このとき、巻き付け作業終了後の結線部位からは、メインライン２本、リーダー１本の都合３本の糸が引き出された状態となっており、この状態でハーフヒッチをおこなう場合は、この３本の糸を全て手指で保持しつつハーフヒッチを施さなければならない。即ち、１本のメインラインと１本のリーダーを緊張状態に保持しつつもう１本のメインラインをハーフヒッチで結わえていく作業となるが、このような作業は両手両足を駆使しての作業とならざるを得ず困難を伴うものであり確りと緊締するには相当な熟練が必要である。しかも、このような結線作業は、屋外である釣り場、場合によってはウエーディングと呼ばれる海中に立ったままでおこなわれる釣りの最中においてもおこなわれることがあり、このような場合、ハーフヒッチのような細かい作業はより一層の困難が伴うことになる。とりわけ夜釣りにあっては、視界が悪いため尚一層の困難が伴うことになって、これらに本考案が解決せんとする課題がある。
【課題を解決するための手段】
【００１４】
本考案は、上記の如き実情に鑑みこれらの課題を解決することを目的として創作されたものであって、請求項１の考案は、互いに巻き付けられた２本の釣り糸の該巻き付け部位に隣接してハーフヒッチを施すにあたり、一方の釣り糸の何れかの部分を係止する第一糸係止部と、他方の釣り糸の何れかの部分を係止する第二糸係止部とを備え、該第一糸係止部と第二糸係止部とで係止される釣り糸は、第一糸係止部と第二糸係止部とのあいだに緊張状態で保持されることを特徴とする釣り糸用糸結び器である。
請求項２の考案は、第一糸係止部および第二糸係止部は、外周面に弾性部材による溝部が形成され、該溝部に釣り糸を挟み込むことで糸を係止するよう構成されていることを特徴とする請求項１記載の釣り糸用糸結び器である。
請求項３の考案は、第一糸係止部は、ボディの一方の先端部に設けられるとともに、第二糸係止部は、該ボディの他方の先端部に設けられることを特徴とする請求項１または２記載の釣り糸用糸結び器である。
【考案の効果】
【００１５】
請求項１の考案とすることで、互いに巻き付けられた２本の釣り糸の一方を他方の糸に編みつける編み付け作業を行う際に、糸をぴんと張った状態にするために手足やその指等を使用する必要がなくなり、編み付け作業を簡単にしかも確実に行うことができる。
請求項２の考案とすることで、結束された部位の糸が確実に係止されるため、編み付けの途中で糸が係止部から外れてしまったり、係止部での糸の係止が緩むことによって結束部位が撓んでしまったりすることがなく、従って、編み付け作業を確実に行うことができる。
請求項３の考案とすることで、釣り糸用糸結び器を、シンプルで部品点数の少ないものとすることができる。
【図面の簡単な説明】
【００１６】
【図１】（Ａ）〜（Ｆ）は、ハーフヒッチを施す釣り糸の結線方法を示す説明図である。
【図２】（Ａ）〜（Ｅ）は、それぞれ釣り糸用糸結び器における正面図、平面図、底面図、左側面図、右側面図である。
【図３】（Ａ）〜（Ｃ）は、それぞれ釣り糸用糸結び器における第一本体、第二本体、第一弾性部材、第二弾性部材である。
【図４】釣り糸用糸結び器における作用説明図である。
【考案を実施するための形態】
【００１７】
次に本考案の実施の形態について図面に基づいて説明する。図２において、１は、本考案が実施された糸結び器であって、該糸結び器１は、平面視Ｕ字状の平板である第一本体２と、該第一本体２の上面側に取付けられ、同じくＵ字状平板である第二本体３と、第一本体２と第二本体３とのあいだに挟持される第一弾性部材４、第二弾性部材５とを備えている。
第一本体２は、図３（Ａ）に示すように、複数（本考案では４つ）のリベット孔が穿設されており、平面視左端から順に第一リベット孔６ａ、６ｂ、６ｃ、６ｄが穿設されている。
第二本体３は、図３（Ｂ）に示すように、第一本体２と同じく複数（本考案では３つ）のリベット孔が穿設され、平面視左端から右端に向けて順に第二リベット孔７ａ、７ｂ、７ｃが穿設されている。
第一弾性部材４、第二弾性部材５は、図３（Ｃ）に示すように、例えばシリコン製の板状部材であり、前記第二本体３と略同形状となっている。該第一、第二弾性部材４、５は、片面が鋸歯状に凹凸形成された凹凸面４ａ、５ａとなっており、該凹凸面４ａ、５ａが対向して密着するように組み付けられる。また、第一弾性部材４および第二弾性部材５には、それぞれ第二本体３と同位置に位置して第三リベット孔８ａ、８ｂ、８ｃ、第四リベット孔９ａ、９ｂ、９ｃが穿設されている。これら各リベット孔には、第二本体３と同様に、後述するリベットが嵌着し、これによって第一本体２、第二本体３、第一弾性部材４、第二弾性部材５が一体的に組み付けられるようになっている。
【００１８】
図２に示す１０ａ、１０ｂ、１０ｃは、それぞれ第一リベット、第二リベット、第三リベットである。第一リベット１０ａは、第一リベット孔６ａ、第二リベット孔７ａ、第三リベット孔８ａ、第四リベット孔９ａに嵌着してここに第一糸係合部１１を形成する。同様にして第二リベット１０ｂは、第一リベット孔６ｂ、第二リベット孔７ｂ、第三リベット孔８ｂ、第四リベット孔９ｂに嵌着してここに第二糸係合部１２を形成し、第三リベット１０ｃは、第一リベット孔６ｃ、第二リベット孔７ｃ、第三リベット孔８ｃ、第四リベット孔９ｃに嵌着してここに第三糸係合部１３を形成する。
【００１９】
ここで、本考案の第一糸係止部の実施の形態である第一糸係合部１１、第二糸係合部１２、第三糸係合部１３では、それぞれ第一本体２と第二本体３とのあいだに挟持された第一弾性部材４、第二弾性部材５が、前述したように凹凸面４ａ、５ａを互いに対向させて組み付けられており、この凹凸面４ａと５ａとのあいだに挟み込まれる釣り糸に対して摺動抵抗を付与するようになっている。
【００２０】
一方、第一リベット孔６ｄには、第四リベット１０ｄが取付けられるが、該第四リベット１０ｄは、取付け時において、他の第一リベット１０ａ、第二リベット１０ｂ、第三リベット１０ｃよりも上側に突出する長さに設定されている。そして、第四リベット１０ｄの外周面には、例えばシリコン製の弾性部材であるメインライン固定部１４が外周面全体を覆うように取付けられており、該メインライン固定部１４のリベット軸方向の両端部には、メインライン固定部１４に巻き付けられた糸を糸止めするＯ−リング１５ａ、１５ｂが内径方向伸縮自在に係合し、このメインライン固定部１４とＯ−リング１５ａ、１５ｂとで本考案の第二糸係止部の実施の形態であるメインライン係止部１６を構成している。
【００２１】
このように、第一本体２と第二本体３とは、第一、第二、第三リベット１０ａ、１０ｂ、１０ｃの嵌合によって第一弾性部材４、５を挟持しつつ一体的に組み付けられており、第一本体２のみに係合して第二本体３および第一、第二弾性部材４、５とは嵌合しない第四リベット１０ｄは、メインライン固定部１４およびＯ−リング１５ａ、１５ｂが嵌着して第一本体２の右端部から突出した状態となっている。
【００２２】
叙述の如く構成された本考案の実施の形態において、まずメインラインＭの端部をメインライン係止部１６のメインライン固定部１４とＯ−リング１５ａ、１５ｂのあいだに挟みこむようにして係止させた後、メインラインＭとリーダーＳとで前述のミッドノット、ノーネームノット、ＰＲノット等の結線における巻き付けの部分の作業をおこなう。この場合、本考案の釣り糸のハーフヒッチ糸結び器を、前述のボビンノットにおけるボビンとして利用することもできる。また、巻き付け作業をおこなうところまでは、メインライン係止部１６に係止することなく、つまり本考案の釣り糸用糸結び器を使用せずにおこなっても構わない。
【００２３】
そして、巻き付け作業が終了したら、一旦メインライン係止部１６からメインラインＭを外して、前述の巻き付けられた部位が第一リベット１０ａと第四リベット１０ｄのあいだに来るように位置合わせして、リーダーＳを、巻き付け部位が緊張状態になるように引張りながら、第一糸係合部１１の第一弾性部材４と第二弾性部材５とのあいだに挟みこみ、さらに該挟み込んだリーダーＳから延長する部分の糸も同じように緊張状態を保ちながら第二糸係合部１２、第三糸係合部１３へと順次係止した後、メインラインＭをメインライン係止部１６に係止していく。
【００２４】
この状態で、巻き付け部位にハーフヒッチを施すことになるが、このとき、メインラインＭの本線はメインライン係止部１６によって確りと係止され、リーダーＳは、第一、第二、第三糸係合部１１、１２、１３に確りと係止されていることから、メインライン係止部１６と第一糸係合部１１とのあいだに懸架される結線部位は緊張状態が保たれることになる。このように結線部位が緊張状態で懸架された状態でハーフヒッチを施す場合、作業者は、巻き付け部位から引き出されたメインラインＭの支線のみに神経を集中しておこなうことができるため、簡単かつ確りとしたハーフヒッチ結線をすることができる。
このように本考案の釣り糸用糸結び器によれば、メインラインＭとリーダーＳとをそれぞれメインライン係止部１６および第一、第二、第三糸係合部１１、１２、１３に挟み込むだけで結線部位を緊張状態に保つことができ、これによって、結線の後半部分に施されるハーフヒッチを簡単かつ確実に施すことができる。
【００２５】
尚、本考案は、前記実施の形態に限定されないことは勿論であって、メインラインを係止するメインライン係止部とリーダーを係止する第一糸係合部とをそれぞれ異なる部材に設けたものに構成しても良い。
【産業上の利用可能性】
【００２６】
本考案は、ルアーフィッシング等の釣りにおいて、メインラインとリーダーとを結線するにあたり、結線の後半に施すハーフヒッチ編み付けの補助をする釣り糸用糸結び器の分野に利用可能である。
【符号の説明】
【００２７】
第一糸係止部          １１
メインライン糸係止部  １６
【図１】
0003149858.tif 000003
【図２】
0003149858.tif 000004
【図３】
0003149858.tif 000005
【図４】
0003149858.tif 000006